(57)【特許請求の範囲】
【請求項１】
使用時間の経過に伴って特性が劣化する所定の寿命を定めた電子部品であって、この電子部品の外表面に少なくとも初期特性と寿命判定値を表示してなる有限寿命電子部品。
【請求項２】
二次元バーコードにより表示を行った請求項１に記載の有限寿命電子部品。
【請求項３】
二次元バーコードをレーザーにより電子部品の本体に直接表示した請求項２に記載の有限寿命電子部品。
【請求項４】
二次元バーコードをラベルに印刷し、このラベルを電子部品の本体に貼り付けた請求項２に記載の有限寿命電子部品。
【請求項５】
使用開始から寿命までの間の使用履歴を有する有限寿命電子部品の特性を測定し、この測定結果をあらかじめ表示された初期特性ならびに寿命判定値と比較することにより、寿命推移時間ならびに余剰寿命の推定と再使用可否の判定を行うようにした請求項１〜４のいずれか一つに記載の有限寿命電子部品の寿命確認方法。
【請求項６】
測定する特性を静電容量特性とした請求項５に記載の有限寿命電子部品の寿命確認方法。
【発明の詳細な説明】
【０００１】
【発明の属する技術分野】
本発明は各種電子機器に使用される電子部品の中で、使用時間の経過に伴って特性が劣化する所定の寿命を定めた電子部品、いわゆる有限寿命電子部品およびその寿命確認方法に関するものである。
【０００２】
【従来の技術】
近年、地球環境保護活動が活発化してきており、使用済み製品のリサイクル（再使用）が強く要望されている。これは、電子機器そのものの再使用、又は分解して再使用できるプリント基板及び電子部品を対象としたものである。
【０００３】
ここで電子部品は、一般的に不良はある一定の割合の故障率で発生するモードのものであるが、内部に電解液を用いたアルミニウム電解コンデンサや電気二重層コンデンサなどは、内部の電解液が透過拡散により徐々に蒸発して減少していき、ある時点を持って全て不良になるという有限寿命の電子部品である。
【０００４】
これは、透過拡散の速度が寿命に影響を与えているものであるが、この要因としては温度と時間と負荷電圧等により影響を受けており、このような有限寿命の電子部品の特性劣化は、絶対値ではなく変化値に現れる場合が多いことによるためである。
【０００５】
【発明が解決しようとする課題】
このように有限寿命電子部品の寿命推移段階及び余剰寿命予測は、使用する環境・負荷が明確に分かることが必要であるが、地域性及び使用状態が個々に異なることから使用実態を把握することは極めて困難であり、また、使用前後の特性変化に関しても、初期特性が製品個々に把握できないことと、初期特性のばらつきが大きいことから代表値を適用して特性変化を推測することにしても問題があるものであった。
【０００６】
従って、使用済み電子機器を再使用しようとしても、温度管理されてかつ使用状態が把握されているホストコンピュータ等を除けば、使用環境や使用時間等が把握できていない有限寿命電子部品に関しては、特性の劣化度合いが分からないために余剰寿命（有限寿命における残りの寿命時間）が判定できないため、再使用は不可能であるという課題を有していた。
【０００７】
本発明はこのような従来の課題を解決し、使用中の有限寿命電子部品の特性劣化状態や余剰寿命を把握して再使用することができる有限寿命電子部品およびその寿命確認方法を提供することを目的とするものである。
【０００８】
【課題を解決するための手段】
この課題を解決するために本発明は、有限寿命電子部品の外表面に少なくとも初期特性と寿命判定値を表示した構成とし、この有限寿命電子部品を使用中に特性を測定し、この測定結果を上記あらかじめ表示された内容と比較することにより、寿命推移時間ならびに余剰寿命の推定と再使用可否の判定を行うようにしたものである。
【０００９】
この本発明により、どの使用時点においても特性劣化による寿命の推移度合い及び余剰寿命を知ることができる。
【００１０】
【発明の実施の形態】
本発明の請求項１に記載の発明は、使用時間の経過に伴って特性が劣化する所定の寿命を定めた電子部品であって、この電子部品の外表面に少なくとも初期特性と寿命判定値を表示した構成のもので、使用を開始した有限寿命電子部品の特性を測定して上記表示内容と比較することにより、どの時点でも特性劣化状態や余剰寿命を把握して再使用の可否を判断することができるという作用を有する。
【００１１】
請求項２に記載の発明は、請求項１に記載の発明において、二次元バーコードにより表示を行った構成としたもので、小さな表示スペースに多量の情報を表示することができるという作用を有する。
【００１２】
請求項３に記載の発明は、請求項２に記載の発明において、二次元バーコードをレーザーにより電子部品の本体に直接表示した構成のもので、一連の製造工程の中で表示を行うことができるので、生産性に影響を与えることなく、容易にしかも確実に実施することができるという作用を有する。
【００１３】
請求項４に記載の発明は、請求項２に記載の発明において、二次元バーコードをラベルに印刷し、このラベルを電子部品の本体に貼り付けた構成としたものであり、特別な設備を必要とすることなく、容易に実施することができるという作用を有する。
【００１４】
請求項５に記載の発明は、請求項１〜４のいずれか一つに記載の発明の有限寿命電子部品の寿命確認方法であって、使用開始から寿命までの間の使用履歴を有する有限寿命電子部品の特性を測定し、この測定結果をあらかじめ表示された初期特性ならびに寿命判定値と比較することにより、寿命推移時間ならびに余剰寿命の推定と再使用可否の判定を行うようにした方法のものであり、どの時点でも特性劣化状態や余剰寿命を把握して再使用の可否を判断することができるという作用を有する。
【００１５】
請求項６に記載の発明は、請求項５に記載の発明において、測定する特性を静電容量特性としたもので、精度の高い判断を行うことができるという作用を有する。
【００１６】
以下、本発明の一実施の形態について図面を用いて詳細に説明する。
【００１７】
図１は本発明による有限寿命電子部品の表示の一例を示したものであり、図１（ａ）は電子部品本体１の多周面に表示部２を設けたもので、図１（ｂ）は電子部品本体１の天面に表示部２を設けたものである。
【００１８】
表示位置としては、電子部品本体１をプリント配線板に実装して電子機器に組み込む場合に、表示内容が破損しない位置に表示を行うことが必要である。
【００１９】
また、電子部品本体１がプリント配線板に装着、実装されて、電子機器に組み込まれて使用されることから、傷や多少の埃等の付着に対しても判読できる必要があることと、表示内容を自動で読み取って寿命判定を効率的に行うためにはバーコードでの表示が有効であり、且つ二次元バーコードであると部分的に破損があってもエラー訂正（データ復元）ができることと、表示スペースが従来の一次元バーコードとは面積比で１／２０〜１／１００に小さくできて電子部品のような小さなものにも十分に表示することができる。また、二次元バーコードに関しては、ＰＤＦ４１７、データコード、ＱＲコード等各種の方式があるが、いずれもエラー訂正機能があり、表示スペースも小さくできて有効である。
【００２０】
図２は、有限寿命電子部品の寿命推移特性の一例を示したもので、アルミニウム電解コンデンサの静電容量変化について示したものであり、これは（表１）の数値をグラフ化したものである。
【００２１】
【表１】
0003646567.tif 000002
【００２２】
なお、（表１）はアルミニウム電解コンデンサ個々の寿命推移特性の時間毎の特性値を示したものである。このように電子部品本体１への表示としては、初期の静電容量値及び（表１）の数値、又は寿命判定値（部品メーカ規定値又は受渡当事者間で決定する値である）を表示するものとする。
【００２３】
このように表示された電子部品本体１の表示部２の内容を読み取って寿命を確認する方法としては、まず確認する時点のアルミニウム電解コンデンサの静電容量を測定し、電子部品本体１の表示部２に表示されている初期値から変化率を算出する。次に、その値が寿命推移特性のどの時間に相当するかを調べ、その時間が保証時間の１／２以下であれば再使用が可能と判断し、保証時間の１／２以上の時間であれば再使用は不可能と判断する。また、保証時間の１／２以下であれば何回でも再使用が可能であると判断する。
【００２４】
この具体的事例を図２を用いて説明すると、図２はアルミニウム電解コンデンサで定格電圧が１０Ｖで公称静電容量が１０００μＦで静電容量許容差が±２０％の製品であり、製品寸法は直径１０ｍｍで長さ１２．５ｍｍ、寿命保証は１０５℃、２０００時間で静電容量変化率（寿命判定値）は±２０％以内の仕様のものである。
【００２５】
具体的事例１として、初期静電容量値が９５０μＦのコンデンサが、使用後測定すると９００μＦであった場合は、静電容量変化率は、（９００−９５０）／９５０×１００％で−５．２６％となる。これは、図２のｃの寿命判定値の±２０％の１／２以下であり、再使用可能と判断する。また、この変化量は図２のａのポイントであり、これは１０５℃で３００時間使用した条件に相当する。これは、１０５℃、２０００時間保証の約１／６であり、まだ何回も再使用できることが分かる。
【００２６】
具体的事例２として、初期静電容量値が９５０μＦのコンデンサが、使用後測定すると８２０μＦであった場合は、静電容量変化率は、（８２０−９５０）／９５０×１００％で−１３．７％となる。これは、図２のｃの寿命判定値の±２０％の１／２以上であり、再使用は不可と判断する。また、この変化量は図２のｂのポイントであり、これは１０５℃で２０００時間使用した条件に相当する。これは、１０５℃、２０００時間保証品であり、再使用不可と判断するが、機器の設計がコンデンサ容量が２０％以上減少しても問題が無い場合で、１０５℃、４０００時間の特性変化が問題なければ再使用可能と判断する。このように寿命推移特性で運用することにより再使用の範囲が拡大する。
【００２７】
【発明の効果】
以上の説明から明らかなように、本発明による有限寿命電子部品は、電子部品の本体に必要な初期特性を明示することにより、使用済みのどの時点においてもその段階で必要な特性を測定して初期特性と比較を行って変化の度合いを確認することにより、有限寿命の寿命段階と余剰寿命を測定することができ、その結果により有限寿命電子部品の再使用を行うことができる。
【図面の簡単な説明】
【図１】（ａ），（ｂ）本発明の一実施の形態による有限寿命電子部品を示す斜視図
【図２】同実施の形態によるアルミニウム電解コンデンサの寿命推移特性を示す特性図
【符号の説明】
１  電子部品本体
２  表示部
【図１】
0003646567.tif 000003
【図２】
0003646567.tif 000004